(57)【特許請求の範囲】
【請求項１】
胸ポケットの裏面に対向する位置にある本体と、
この本体の上端縁から下方に延在し、前記本体との間で前記胸ポケットの上縁部に係
止する延在部と、
前記本体に設けられ、カードを収納するカード収納部とを備え、
前記カード収納部は、
前記本体に設けられ、前記延在部の裏面から前記本体の表面に、又は、前記本体の表面から前記延在部の裏面に、前記カードを通す開口部と、
前記本体に設けられ、前記カードの下端に当接して前記カードを支持する支持部とを
有し、
正面視、前記延在部と前記本体の間に前記開口部があり、
前記カードは前記開口部を通して、前記カードの一方の面が前記延在部の裏面に、前
記カードの残りの面が前記本体の表面に、それぞれ位置し、前記カードの下端が前記支持
部に支持されている
ことを特徴するポケット装着用収納具。
【請求項２】
胸ポケットの裏面に対向する位置にある本体と、
この本体の上端縁から下方に延在し、前記本体との間で前記胸ポケットの上縁部に係
止する延在部と、
前記本体に設けられ、カードの下端に当接して前記カードを支持する支持部とを備え、
正面視、前記本体の右側に胸ポケットの生地に当接する右側突起、前記本体の左側に前記胸ポケットの生地に当接する左側突起が、それぞれ位置し、
前記右側突起と前記左側突起と支持部との間に前記カードが位置している
ことを特徴とするポケット装着用収納具。
【請求項３】
延在部と本体との間の隙間は、前記延在部の先端から前記本体の前記上端縁に向かうに従い狭く形成されている
ことを請求項1又は請求項２記載のポケット装着用収納具。
【請求項４】
正面視、延在部の下端の下方にカードを通す開口部が位置している
ことを特徴とする請求項２又は請求項３記載のポケット装着用収納具。
【請求項５】
延在部の表面に表示体が取り付けられている
ことを特徴とする請求項１〜４のいずれかに記載のポケット装着用収納具。
【請求項６】
胸ポケットの裏面に対向する位置にある本体と、
この本体の上端縁から下方に延在し、前記本体との間で前記胸ポケットの上縁部に係
止する延在部と、
この延在部の表面に取り付けられた表示体と、
前記本体に設けられ、カードを収納するカード収納部とを備え、
前記カード収納部は、
前記本体に設けられ、前記延在部の裏面から前記本体の表面に、又は、前記本体の表面から前記延在部の裏面に、前記カードを通す開口部と、
前記本体に設けられ、前記カードの下端に当接して前記カードを支持する支持部とを
有し、
正面視、前記延在部と前記本体の間に前記開口部があり、
前記カードは前記開口部を通して、前記カードの一方の面が前記延在部の裏面に、前
記カードの残りの面が前記本体の表面に、それぞれ位置し、前記カードの下端が前記支持
部に支持されている
ことを特徴するポケット装着用表示体。
【請求項７】
胸ポケットの裏面に対向する位置にある本体と、
この本体の上端縁から下方に延在し、前記本体との間で前記胸ポケットの上縁部に係
止する延在部と、
この延在部の表面に取り付けられた表示体と、
前記本体に設けられ、カードの下端に当接して前記カードを支持する支持部とを備え、
正面視、前記本体の右側に胸ポケットの生地に当接する右側突起、前記本体の左側に前記胸ポケットの生地に当接する左側突起が、それぞれ位置し、
前記右側突起と前記左側突起と支持部との間に前記カードが位置している
ことを特徴とするポケット装着用表示体。
【発明の詳細な説明】
【技術分野】
【０００１】
本発明は、ポケット装着用収納具及びポケット装着用表示体に係り、特に、カード収納部の厚み方向をスリム化して、カードを収納することができるポケット装着用収納具及びポケット装着用表示体に関する。
【背景技術】
【０００２】
被服の胸ポケット（２）に入る大きさの略直方体形状に形成され、複数の長尺棒状文
具（３）を並べて収納できるとともに、文具を入れるための開口部（１１６）を有するケ
ース本体（１１）と、ケース本体の前面（１１１）の上端縁から延在し、ケース本体の前
面との間で胸ポケットの上端（２１）を挟み込むことができるように上端縁を境界線とし
て折り曲げ自在に形成された舌片（１２）と、を有し、胸ポケット（２）の上端縁（２１
）をケース本体（１１）の前面（１１１）と舌片（１２）とで挟んだ上からクリップ（３
１）を差し込むようにしている文具ケースがある（特許文献１  図４参照）。
【先行技術文献】
【特許文献】
【０００３】
【特許文献１】特許第４１３６８９５号公報
【発明の概要】
【発明が解決しようとする課題】
【０００４】
上記文具ケースにあっては、カード（例えば、身分証明書）を収納するには、大きすぎるという問題点が生じた。
【０００５】
本発明は、上記の問題点を考慮してなされたポケット装着用収納具及びポケット装着
用表示体を提供することにある。
【課題を解決するための手段】
【０００６】
請求項１記載のポケット装着用収納具は、胸ポケットの裏面に対向する位置にある本体と、この本体の上端縁から下方に延在し、前記本体との間で前記胸ポケットの上縁部に係止する延在部と、前記本体に設けられ、カードを収納するカード収納部とを備え、前記カード収納部は、前記本体に設けられ、前記延在部の裏面から前記本体の表面に、又は、前記本体の表面から前記延在部の裏面に、前記カードを通す開口部と、前記本体に設けられ、前記カードの下端に当接して前記カードを支持する支持部とを有し、正面視、前記延在部と前記本体の間に前記開口部があり、前記カードは前記開口部を通して、前記カードの一方の面が前記延在部の裏面に、前記カードの残りの面が前記本体の表面に、それぞれ位置し、前記カードの下端が前記支持部に支持されているものである。
【０００７】
また、請求項２記載のポケット装着用収納具は、胸ポケットの裏面に対向する位置にある本体と、この本体の上端縁から下方に延在し、前記本体との間で前記胸ポケットの上縁部に係止する延在部と、前記本体に設けられ、カードの下端に当接して前記カードを支持する支持部とを備え、正面視、前記本体の右側に胸ポケットの生地に当接する右側突起、前記本体の左側に前記胸ポケットの生地に当接する左側突起が、それぞれ位置し、前記右側突起と前記左側突起と支持部との間に前記カードが位置しているものである。
【０００８】
また、請求項３記載のポケット装着用収納具は、請求項1又は請求項２記載のポケット装着用収納具において、延在部と本体との間の隙間は、前記延在部の先端から前記本体の前記上端縁に向かうに従い狭く形成されているものである。
【０００９】
また、請求項４記載のポケット装着用収納具は、請求項２又は請求項３記載のポケット装着用収納具において、正面視、延在部の下端の下方にカードを通す開口部が位置しているものである。
【００１０】
また、請求項５記載のポケット装着用収納具は、請求項１〜４のいずれかに記載のポケット装着用収納具にいて、延在部の表面に表示体が取り付けられているものである。
【００１１】
また、請求項６記載のポケット装着用表示体は、胸ポケットの裏面に対向する位置にある本体と、この本体の上端縁から下方に延在し、前記本体との間で前記胸ポケットの上縁部に係止する延在部と、この延在部の表面に取り付けられた表示体と、前記本体に設けられ、カードを収納するカード収納部とを備え、前記カード収納部は、前記本体に設けられ、前記延在部の裏面から前記本体の表面に、又は、前記本体の表面から前記延在部の裏面に、前記カードを通す開口部と、前記本体に設けられ、前記カードの下端に当接して前記カードを支持する支持部とを有し、正面視、前記延在部と前記本体の間に前記開口部があり、前記カードは前記開口部を通して、前記カードの一方の面が前記延在部の裏面に、前記カードの残りの面が前記本体の表面に、それぞれ位置し、前記カードの下端が前記支持部に支持されているものである。
【００１２】
また、請求項７記載のポケット装着用表示体は、胸ポケットの裏面に対向する位置にある本体と、この本体の上端縁から下方に延在し、前記本体との間で前記胸ポケットの上縁部に係止する延在部と、この延在部の表面に取り付けられた表示体と、前記本体に設けられ、カードの下端に当接して前記カードを支持する支持部とを備え、正面視、前記本体の右側に胸ポケットの生地に当接する右側突起、前記本体の左側に前記胸ポケットの生地に当接する左側突起が、それぞれ位置し、前記右側突起と前記左側突起と支持部との間に前記カードが位置しているものである。
【発明の効果】
【００１３】
請求項１記載のポケット装着用収納具によれば、カード収納部は、本体に設けられ、延在部の裏面から前記本体の表面に、又は、前記本体の表面から前記延在部の裏面に、カードを通す開口部と、前記本体に設けられ、前記カードの下端に当接して前記カードを支持する支持部とを有し、正面視、前記延在部と前記本体の間に前記開口部があり、前記カードは前記開口部を通して、前記カードの一方の面が前記延在部の裏面に、前記カードの残りの面が前記本体の表面に、それぞれ位置し、前記カードの下端が前記支持部に支持されているため、つまり、延在部の裏面、本体の表面を利用して、カード収納部の厚み方向をスリム化して、カードを収納することができる。
【００１４】
また、請求項２記載のポケット装着用収納具によれば、正面視、本体の右側に胸ポケットの生地に当接する右側突起、前記本体の左側に前記胸ポケットの生地に当接する左側突起が、それぞれ位置し、前記右側突起と前記左側突起と支持部との間にカードが位置しているため、カード収納部の厚み方向をスリム化して、カードを収納することができると共に、カードが本体から離脱するのを防ぎ、しかも、右側突起及び左側突起を介して胸ポケットの生地に当接して、延在部と本体と挟持状態を補完して、ポケット装着用収納具を胸ポケットに強固に保持することができる。
【００１５】
また、請求項３記載のポケット装着用収納具によれば、上述した請求項１又は２の発
明の効果に加え、延在部と本体との間の隙間は、前記延在部の先端から前記本体の前記上端縁に向かうに従い狭く形成されているため、接触面積を大きくすると共に、延在部の弾性変形を利用して、ポケット装着用収納具を胸ポケットに強固に保持することができる。
【００１６】
また、請求項４記載のポケット装着用収納具によれば、上述した請求項２又は請求項３記載の発明の効果に加え、 正面視、延在部の下端の下方に開口部が位置しているため、手の指を延在部の下端に接触させやすく、操作性を向上させることができる。
【００１７】
また、請求項５記載のポケット装着用表示体によれば、上述した請求項１〜４記載の発明の効果に加え、胸ポケットは、延在部と本体とで挟持されるため、ポケット装着用表示体を前に垂れないで、胸ポケットに取り付け、表示体を見え易くすることができる。
【００１８】
また、請求項６記載のポケット装着用表示体によれば、胸ポケットは、延在部と本体とで挟持されるため、ポケット装着用表示体を前に垂れないで、胸ポケットに取り付け、表示体を見え易くすることができ、しかも、カード収納部は、本体に設けられ、延在部の裏面から前記本体の表面に、又は、前記本体の表面から前記延在部の裏面に、カードを通す開口部と、前記本体に設けられ、前記カードの下端に当接して前記カードを支持する支持部とを有し、正面視、前記延在部と前記本体の間に前記開口部があり、前記カードは前記開口部を通して、前記カードの一方の面が前記延在部の裏面に、前記カードの残りの面が前記本体の表面に、それぞれ位置し、前記カードの下端が前記支持部に支持されているため、つまり、延在部の裏面、本体の表面を利用して、カード収納部の厚み方向をスリム化して、カードを収納することができる。
【００１９】
また、請求項７記載のポケット装着用表示体によれば、胸ポケットは、延在部と本体とで挟持されるため、ポケット装着用表示体を前に垂れないで、胸ポケットに取り付け、表示体を見え易くすることができ、しかも、正面視、本体の右側に胸ポケットの生地に当接する右側突起、前記本体の左側に前記胸ポケットの生地に当接する左側突起が、それぞれ位置し、前記右側突起と前記左側突起と支持部との間にカードが位置しているため、カード収納部の厚み方向をスリム化して、カードを収納することができると共に、カードが本体から離脱するのを防ぎ、更に、右側突起及び左側突起を介して胸ポケットの生地に当接して、延在部と本体と挟持状態を補完して、ポケット装着用表示体を胸ポケットに強固に保持することができる。
【図面の簡単な説明】
【００２０】
【図１】図１は、本発明の一実施例のポケット装着用収納具（ポケット装着用表示体    ）が胸ポケットに装着された状態を示す概略的正面図である。
【図２】図２は、図１のポケット装着用収納具（ポケット装着用表示体）の表示体を    裏面側に移動した状態の概略的正面図である。
【図３】図３は、図１のポケット装着用収納具（ポケット装着用表示体）の表示体を    延在部の表面に取り付けられる状態を示す概略的図で、図３（ａ）は、図１のポケッ    ト装着用収納具（ポケット装着用表示体）の表示体を延在部の表面に取り付けられる    前の状態を示す概略的図で、図３（ｂ）は、図１のポケット装着用収納具（ポケット    装着用表示体）の表示体を延在部の表面に取り付けられた状態を示す概略的図である    。
【図４】図４(a）は、図１の表示体を上方へ移動した状態の概略的正面図であり、    図４(b）は、図４（ａ）のＡ−Ａ線の概略的断面図である。
【図５】図５は、図１のポケット装着用収納具（ポケット装着用表示体）を分解して    示す概略的分解斜視図である。
【図６】図６は、図５のポケット装着用収納具（ポケット装着用表示体）にカードを    収納する前の状態を示す概略的斜視図である。
【図７】図７は、図６のポケット装着用収納具（ポケット装着用表示体）を胸ポケッ    トに装着され、カードが装着前の状態を示す概略的背面図である。
【図８】図８は、図１のポケット装着用収納具（ポケット装着用表示体）の概略的背 面図である。
【図９】図９は、図1のポケット装着用収納具（ポケット装着用表示体）にカードが 収納される状態を示す概略的断面図で、図９ (a）は、図1のポケット装着用収納具（ポケット装着用表示体）にカードが収納される前の状態を示す概略的断面図で、図９(b）は、図1のポケット装着用収納具（ポケット装着用表示体 ）にカードが収納された状態を示す概略的断面図である。
【図１０】図１０は、図９（ｂ）のＣ−Ｃ線の概略的断面図である。
【図１１】図１１（ａ）は、図１のポケット装着用収納具（ポケット装着用表示体）にカードが収納される前後の状態を示す概略的断面図で、図１１（ｂ）は、図１のポケット装着用収納具（ポケット装着用表示体）の概略的断面図である。
【発明を実施するための形態】
【００２１】
本発明の一実施例のポケット装着用収納具及びポケット装着用表示体を図１乃至図１
１を参照して説明する。
【００２２】
図１に示すＳはワイシャツ、ジャケット等の胸ポケット１０に装着して使用するポケ
ット装着用収納具で、ポケット装着用収納具Ｓは、胸ポケット１０の裏面に対向する位置
にある本体１と、この本体１の上端縁１Ａから下方に延在し、本体１との間で胸ポケット
１０の上縁部１０ａに係止する延在部２と、本体１に設けられ、カード２０を収納するカ
ード収納部３とを有する。
【００２３】
延在部２と本体１との間の隙間は、延在部２の先端から本体１の上端縁１Ａに向かうに従い狭く形成されていなくても良いが、望ましくは、図３に示すように、延在部２の先端から本体１の上端縁１Ａに向かうに従い狭く形成され、胸ポケット１０は、延在部２と本体１とで挟持される。そのため、接触面積を大きくすると共に、延在部２の弾性変形を利用して、ポケット装着用収納具Ｓを胸ポケット１０に強固に保持することができる。
なお、ポケット装着用収納具Ｓは、例えば、ポリカーボネイト等のプラスティックで
形成され、また、カード２０は、例えば、身分証明書、運転免許証、キャッシュカード等
である。
【００２４】
カード収納部３は、本体１に設けられ、延在部２の裏面から本体１の表面に、又は、
本体１の表面から延在部２の裏面に、カード２０を通す開口部１Ｂと、本体１に設けられ
、カード２０の下端に当接してカード２０を支持する支持部１Ｃとを有している。
カード２０は開口部１Ｂを介して、カード２０の一方の面２０Ａが延在部２の裏面に
、カード２０の残りの面２０Ｂが本体１の表面に、それぞれ位置し、カード２０の下端が
支持部１Ｃに支持されている。
そのため、延在部２の裏面、本体１の表面を利用して、カード収納部３の厚み方向
をスリム化して、カード２０を収納することができる。
【００２５】
また、正面視、本体１の右側に胸ポケット１０の生地に当接する直線状の右側突起Ｒ
、本体１の左側に胸ポケット１０の生地に当接する直線状の左側突起Ｌが、それぞれ位置
し、右側突起Ｒと左側突起Ｌとの間にカード２０が位置し、右側突起Ｒの下麓部Ｒ１と左
側突起Ｌの下麓部Ｌ１とを結ぶ線を第１の線Ｘ、右側突起Ｒの上麓部Ｒ２と左側突起Ｌの
上麓部Ｌ２とを結ぶ線を第２の線Ｙとすれば、第１の線Ｘと第２の線Ｙの間に延在部２の
最下端部２Ｚが位置している。
そのため、カード２０が本体１から離脱するのを防ぎ、しかも、第１の線Ｘと第２の
線Ｙの間に延在部２の最下端部２Ｚが位置しているため、右側突起Ｒ及び左側突起Ｌを介
して胸ポケット１０の生地に当接して、延在部２と本体１と挟持状態を補完して、ポケッ
ト装着用収納具Ｓを胸ポケット１０に強固に保持することができる。
なお、少なくとも、正面視、本体１の右側に胸ポケット１０の生地に当接する右側突起（例えば、直線状の右側突起）Ｒ、本体１の左側に胸ポケット１０の生地に当接する左側突起（例えば、直線状の左側突起）Ｌが、それぞれ位置し、右側突起Ｒと左側突起Ｌと支持部１Ｃとの間にカード２０が位置していれば良い。この場合、カード収納部３の厚み方向をスリム化して、カード２０を収納することができると共に、カード２０が本体１から離脱するのを防ぎ、しかも、右側突起Ｒ及び左側突起Ｌを介して胸ポケット１０の生地に当接して、延在部２と本体１と挟持状態を補完して、ポケット装着用収納具Ｓを胸ポケット１０に強固に保持することができる。
【００２６】
また、延在部２の裏面に胸ポケット１０の生地に当接する延在部側突起２Ａが設けら
れている。
そのため、延在部２の延在部側突起２Ａを介して胸ポケット１０の生地に当接して、
延在部２と本体１と挟持状態を補完して、ポケット装着用収納具Ｓを胸ポケット１０に強
固に保持することができる。
【００２７】
また、延在部２の下端に指に当接する指掛け用突起２Ｂが設けられている。
そのため、指掛け用突起２Ｂを用いて、延在部２と本体１との間の隙間を広げて、ポ
ケット装着用収納具Ｓを胸ポケット１０に容易に装着することができる。
また、正面視、延在部２の下端の下方に開口部１Ｂが位置しているため、手の指を延在部２の下端に接触させやすく、延在部２と本体１との間の隙間を広げる操作性を向上させることができる。
【００２８】
また、図１に示す５は表示体で、表示体５は、延在部２の表面５Ａに、例えば、両面
テープを介して取り付けられている。なお、表示体５は、例えば、表面５Ａに、「名前」
、「薬剤師」、「リハビリ」、「ソーシャルワーカー」、「栄養士」、「検査技師」、「
看護助手」、「日勤」等の文字を表示するとともに、裏面５Ｂに、「休息中」、「夜勤」
等の文字、「反射板」、「反射テープ」等の反射光を表示するもので、両面テープは、薄
膜状の基材などを利用して接着剤を両面から接着できるようなシート状に加工し、その表
面に剥離紙を取り付けて細長い帯状にしたものである。
なお、特に、胸ポケット１０は、延在部２と本体１とで挟持されるため、表示体５を
前に垂れないで、胸ポケット１０に強固に取り付けることができる。
表示体５は、使用用途に応じて、表示体５の表面５Ａ、表示体５の裏面５Ｂを選択的
に表側に移動させることができる。
【００２９】
なお、本願発明にあっては、ポケット装着用収納具Ｓであるが、本願発明にあっては
、これに限らず、ポケット装着用表示体Ｓ’にも同様に適用することができる。
即ち、ポケット装着用表示体Ｓ’は、胸ポケット１０の裏面に対向する位置にある本
体１と、この本体１の上端縁１Ａから下方に延在し、本体１との間で胸ポケット１０の上
縁部１０ａに係止する延在部２と、この延在部２の表面に取り付けられた表示体５と、延
在部２と本体１との間の隙間は、延在部２の先端から本体１の上端縁１Ａに向かうに従い
狭く形成され、胸ポケット１０は、延在部２と本体１とで挟持されるものである。
このポケット装着用表示体Ｓ’によれば、胸ポケット１０は、延在部２と本体１とで
挟持されるため、ポケット装着用表示体Ｓ’を前に垂れないで、胸ポケット１０に強固に
取り付けることができる。
ポケット装着用表示体Ｓ’は、ポケット装着用収納具Ｓと同様に、カード収納部３、
右側突起Ｒ、左側突起Ｌ、第１の線Ｘと第２の線Ｙの間に位置した延在部２の最下端部２
Ｚ、指掛け用突起２Ｂ、開口部１Ｂ等を有する（図１乃至図１０）。
要するに、ポケット装着用表示体Ｓ’は、胸ポケット１０の裏面に対向する位置にある本体１と、この本体１の上端縁１Ａから下方に延在し、本体１との間で胸ポケット１０の上縁部１０ａに係止する延在部２と、この延在部２の表面に取り付けられた表示体５と、本体１に設けられ、カード２０を収納するカード収納部３とを備え、カード収納部３は、本体１に設けられ、延在部２の裏面から本体１の表面に、又は、本体１の表面から延在部２の裏面に、カード２０を通す開口部１Ｂと、本体１に設けられ、カード２０の下端に当接してカード２０を支持する支持部１Ｃとを有し、カード２０は開口部１Ｂを介して、カード２０の一方の面が延在部２の裏面に、カード２０の残りの面が本体１の表面に、それぞれ位置し、カード２０の下端が支持部１Ｃに支持されていれば良い。
この場合のポケット装着用表示体Ｓ’によれば、胸ポケット１０は、延在部２と本体１とで挟持されるため、ポケット装着用表示体Ｓ’を前に垂れないで、胸ポケット１０に取り付け、表示体５を見え易くすることができ、しかも、カード収納部３は、本体１に設けられ、延在部２の裏面から本体１の表面に、又は、本体１の表面から延在部２の裏面に、カード２０を通す開口部１Ｂと、本体１に設けられ、カード２０の下端に当接してカード２０を支持する支持部１Ｃとを有し、カード２０は開口部１Ｂを介して、カード２０の一方の面が延在部２の裏面に、カード２０の残りの面が本体１の表面に、それぞれ位置し、カード２０の下端が支持部１Ｃに支持されているため、つまり、延在部２の裏面、本体１の表面を利用して、カード収納部３の厚み方向をスリム化して、カード２０を収納することができる。
また、ポケット装着用表示体Ｓ’は、胸ポケット１０の裏面に対向する位置にある本体１と、この本体１の上端縁１Ａから下方に延在し、本体１との間で胸ポケット１０の上縁部１０ａに係止する延在部２と、この延在部２の表面に取り付けられた表示体５と、本体１に設けられ、カード２０の下端に当接してカード２０を支持する支持部１Ｃとを備え、正面視、本体１の右側に胸ポケット１０の生地に当接する右側突起Ｒ、本体１の左側に胸ポケット１０の生地に当接する左側突起Ｌが、それぞれ位置し、右側突起Ｒと左側突起Ｌと支持部１Ｃとの間にカード２０が位置していれば良い。
この場合のポケット装着用表示体Ｓ’によれば、胸ポケット１０は、延在部２と本体１とで挟持されるため、ポケット装着用表示体Ｓ’を前に垂れないで、胸ポケット１０に取り付け、表示体５を見え易くすることができ、しかも、正面視、本体１の右側に胸ポケット１０の生地に当接する右側突起Ｒ、本体１の左側に胸ポケット１０の生地に当接する左側突起Ｌが、それぞれ位置し、右側突起Ｒと左側突起Ｌと支持部１Ｃとの間にカードが位置しているため、カード収納部の厚み方向をスリム化して、カード２０を収納することができると共に、カード２０が本体１から離脱するのを防ぎ、更に、右側突起Ｒ及び左側突起Ｌを介して胸ポケット１０の生地に当接して、延在部２と本体１と挟持状態を補完して、ポケット装着用表示体Ｓ’を胸ポケット１０に強固に保持することができる。
【符号の説明】
【００３０】
Ｓ      ポケット装着用収納具
１      本体
１Ａ    上端縁
２      延在部
３      カード収納部
１０    胸ポケット
１０ａ  上縁部
２０    カード
【要約】
【課題】
本発明の目的は、カード収納部の厚み方向をスリム化して、カードを収納することができるポケット装着用収納具を提供するものである。
【解決手段】
ポケット装着用収納具Ｓは、胸ポケット１０の裏面に対向する位置にある本体１と、
この本体１の上端縁から下方に延在し、本体１との間で胸ポケット１０の上縁部１０ａに係止する延在部２と、本体１に設けられ、カード２０を収納するカード収納部３ととを有し、カード２０は開口部１Ｂを介して、カード２０の一方の面が延在部２の裏面に、カード２０の残りの面が本体１の表面に、それぞれ位置し、カード２０の下端が支持部に支持されているものである。
【選択図】図３【図１】
0006932867.tif 000002
【図２】
0006932867.tif 000003
【図３】
0006932867.tif 000004
【図４】
0006932867.tif 000005
【図５】
0006932867.tif 000006
【図６】
0006932867.tif 000007
【図７】
0006932867.tif 000008
【図８】
0006932867.tif 000009
【図９】
0006932867.tif 000010
【図１０】
0006932867.tif 000011
【図１１】
0006932867.tif 000012